(57)【要約】【課題】コースターには、コップ表面に結露する水の吸収、テーブル上でコップが滑らない、持ち上げるときコップの底面に吸着しない、美感・装飾性が必須、アミューズメントの要素が欲しい、エコ製品であることなどが要求されるが、これら条件を満たすコースターはない。【解決手段】６０番手の２種類木綿糸５，４００本を用い、風通織りの技法で両面に模様を織り込んだ厚さは０．４〜０．５ｍｍの織布を用い、縦×横が１１０ｍｍ×１１０ｍｍの略正方形のコースターを作成。吸水量は約５ｇ、摩擦係数はコースターなしに比べ２〜３倍とし滑り止め効果を向上させた。コースターの表面と裏面ではミラー反転の模様が形成され、模様の色彩も逆転する。三重県・伊勢志摩地方の複数種類の風景を織り込んで作成したコースターをセットにしてみやげ用とした。【選択図】図１
2017158989.tif 000002
【特許請求の範囲】
【請求項１】
飲料容器の下に敷いて使用するコースターであって、第１色彩と第２色彩の２種類の糸を用い両面に模様を織り込んだ布地で作成され、前記模様が一方の面と他方の面でミラー反転の関係にあって、前記模様の色彩が逆転していることを特徴とする織布製コースター。
【請求項２】
前記模様が前記第１色彩と前記第２色彩に加えて第３色彩の３種類の糸を用いて作成され、前記第３色彩で形成される模様の色彩が前記両面で同一であることを特徴とする請求項１に記載の織布製コースター。
【請求項３】
前記第１色彩と前記第２色彩と前記第３色彩の３種類の糸が吸水性の糸であることを特徴とする請求項１または２の何れか１項に記載の織布製コースター。
【請求項４】
前記模様が所定のテーマに基づいて作成される複数枚からなるセットで構成されることを特徴とする請求項１〜３の何れか１項に記載の織布製コースター。
【発明の詳細な説明】
【技術分野】
【０００１】  本発明は、コップなどの容器の下に敷かれて使用されるコースターに関する。詳しくは織布を使用したコースターに関する。
【背景技術】
【０００２】  特許文献１にはニードルパンチ法によって得られた、厚さ０．７〜５ｍｍの合成繊維の多孔質構造を有する短繊維からなる吸水性不織布状物の底面に、合成樹脂フイルムが接着剤によって貼り合わされて構成されたコースターの考案が開示されている。この考案では、冷却されたコップの表面に結露した水滴がコップ表面から流下するのをコースター表面で直ちに吸収し、且つコップを持ち上げる際にコースターにくついて持ち上がらないなどの効果があるとされる。【０００３】  特許文献２には、網状部材、不織布、吸水紙、ポリマーシート、厚紙及びラミネート紙を上から順に積層して作成されるコースターの考案が開示されている。この考案では、コップの表面に結露した水はコップを伝わってコースター上に流れ落ち、次いで網状部材を通過して不織布に吸収される。不織布に吸収しきれない水は不織布を通過して吸水紙に吸収され、吸水紙でも吸収しきれない水は吸水紙を通過してポリマーシートに吸収される効果があるとされる。【０００４】  特許文献３には、飛翔する鳥を基本図形とし、鳥の嘴を対象点として１２０度を回転対象とする図形で装飾されたコースターの発明が開示されている。
特許文献４には、絵、写真、文字、デザインなどの図柄模様を全部又は一部に描いた板状素材を複数に分離できるパズル片とし、且つ各パズル片同士の隣接位置に、該パズル片同士が貼り剥がし自在になるよう塗布された粘着剤から成る連結手段を有することを特徴とするジグソーパズルとして遊べるコースターの発明が開示されている。【０００５】  特許文献５にはシート本体の静摩擦係数が高く、すべりにくく、密着性またはすべり止め性に優れたすべり止め部材で作成されるコースターであって、シート本体の基布が主にナイロン系繊維の編物からなり、該基布の両面にポリエステル系ポリウレタン樹脂やポリエーテル系ポリウレタン樹脂などで被服され、一方の樹脂皮膜面の静摩擦係数値が、もう一方の樹脂皮膜面の静摩擦係数値の４０％〜８０％の範囲内であるとされる発明が開示されている。
【先行技術文献】
【特許文献】
【０００６】
【特許文献１】実公平０３−０１７７２６
【特許文献２】実公平０４−００９８７７
【特許文献３】ＷＯ２０１０／０４７０７４
【特許文献４】特許第３７５４２４７号
【特許文献５】特許第５２４２９７８号
【発明の概要】
【発明が解決しようとする課題】
【０００７】  コースターはコップなどの容器の下に敷かれて使用されるもので、具備しなければならない物理的な必須要件とし次の機能が求められる。
（１）コップなどの容器表面に結露して滴り落ちる水を吸収する。
（２）外力が加わった時、テーブル上で容器が滑るのを防ぐ。
（３）コップなどの容器を持ち上げるとき、容器底面に吸着して持ち上がらない。【０００８】  また、主として人が飲食する際使用するものであるので、使用環境に適合して快適に使用できるものが好ましく、次の要件の備わることが好ましい。
（４）容器と一体となって、美感、装飾性が向上する。
（５）ゲームなどアミューズメント的要素が包含されている。
更には、日常的に多用される場もあるので、次の要件も求められる。
（６）環境に配慮されたエコ製品であること。
従来技術のコースターは、上記（１）〜（６）の要件の一部を満たすものであって、これら全ての要件を満たすコースターの発明、考案の開示はない。
【課題を解決するための手段】
【０００９】  請求項１に記載の発明は飲料容器の下に敷いて使用するコースターであって、第１色彩と第２色彩の２種類の糸を用い両面に模様を織り込んだ布地で製作される。この模様の作製には二重織りの一種である風通織りの手法が適用される。この場合、原則として模様は２色彩の糸で織り込まれるので一方の面と他方の面の模様はミラー反転模様になり、色彩も反転する。
本発明によれば、コースターの表裏に関係なく何れの面も表面として使用でき、何れの面を表面として使用するかを使用目的、使用状況に応じて適切に選択できる。【００１０】  請求項２に記載の発明は第１色彩と第２色彩の糸に加えて第３色彩の糸の３種類の糸を用いて模様が織り込まれる。この模様の製作にも二重織りの一種である風通織りの手法が適用される。この場合第３色彩で形成される色彩は両面で同一になる。本発明によれば、両面に同一色で形成するにふさわしい模様、例えばシンボルマーク、商標などであって、左右対称形状のものを好適に形成させることができる。【００１１】  請求項３に記載の発明は、少なくとも前記第１色彩と前記第２色彩の２種類の糸が吸水性の糸で織られる布であり吸水性に富む布である。吸水性の糸としては、木綿、麻などの植物繊維が好適である。本発明により、冷却されたコップ表面に露結する水滴が水滴となって流下する水を吸収して、テーブル表面に水滴が流出するのを防止できる。【００１２】  請求項４に記載の発明はコースター表面となる模様が所定のテーマに基づいて作成される複数枚のセットで構成される。例えば三重県の観光地をテーマとする場合であれば、伊勢志摩の複数の観光名所の風景をそれぞれ１つのコースター模様とし、これら複数の風景の模様のコースターをセットにすることができる。
【発明の効果】
【００１３】  本発明によれば課題に挙げた前記（１）〜（６）の要件の全てを解決できることを次に述べる。
まず（１）の「コップなどの容器表面に結露して滴り落ちる水を吸収する」については、少なくとも第１色彩と第２色彩の２種類の糸が木綿等の吸水性に富む素材の糸が使用された織物であるので十分水滴を吸収することができる。
（２）の「外力が加わっても、テーブル上で容器が滑るのを防ぐ」については、木綿など滑り摩擦係数の大きな素材の糸を使用することで容器の滑りを十分防止できる。【００１４】（３）の「コップなどの容器を持ち上げるとき、容器底面に吸着して持ち上がらない」については、木綿など織物では、乾燥状態で摩擦帯電があっても、天然素材の木綿等の繊維の分子構造に親水基が含まれるので、放電性に富み摩擦帯電が生じにくく静電吸着も生じない。また、コップ表面に凝縮する水を吸収し、コップ底面と布地との間に吸着力が生じる場合であっても、吸水により重量の増したコースターがコップ底面に吸着して持ち上がることはない。
（４）の「容器と一体となって、美観、装飾性が向上する」については、本発明のコースターに具象画、幾何学模様など様々な模様を織り込むことで容易に美観を向上させることができる。また、両面が異なる色彩のミラー反転模様となるので、陰と陽、光と影、昼と夜など、表面と裏面の対象性にストリー性をもたせた模様を形成させることができる。【００１５】（５）の「ゲームなどアミューズメント的要素が包含されている」については、様々なアイデアを取り込むことができる。典型的には観光地の複数の観光スポットを模様にした複数枚のコースターをセットにして、観光地みやげの商品にする。イベントをテーマにしたコースターのセット、著名人をテーマにしたコースターのセット。テーマパークをテーマにしたコースターのセット、記念行事の記念イベントをテーマしたコースターのセット、など際限なく例示が可能である。
（６）の「環境に配慮されたエコ製品であること」については、本コースターは木綿等の布で作成されるので、汚れた場合でも洗濯してアイロンがけすれば常に新品状態を維持して反復使用が可能であり、究極のエコ製品として活用できる。
【図面の簡単な説明】
【００１６】
【図１】三重県・伊勢志摩の風景画コースターの表面（陽画）
【図２】三重県・伊勢志摩の風景画コースターの裏面（陰画）
【図３】三重県・伊勢志摩の風景画コースターの表面（陽画）
【図４】中間色の織り目
【発明を実施するための形態】
【００１７】  本発明の実施例について、今回試作した図１，２に示すコースターに基づき説明を行うが、これは単なる例示に過ぎず特許請求の範囲を限定するものではない。
図１は明度の大きい第１色彩の糸と、明度の小さい第２色彩の糸の２種類の糸を用い三重県・伊勢志摩の風景画を織り込んだ布を用いて作成したコースターの表面（陽画面）である。また、図２は図１の裏面（陰画面）であり、表面と裏面の画像はミラー反転画像の関係にあり、また画像に現れる第１色彩の糸と第２色彩の糸も表面と裏面で逆転している。
【００１８】  コースター１０は模様１１と、縁１６と、商標１７で構成される。また、模様１１は第１色彩部１３と、第２色彩部１４、中間色部１５で構成される。第１色彩部１３は第１色彩の糸のみが表面に現れており、第２色彩部１４は第２色彩の糸のみが表面に現れている。また、中間色部１５は図４に示すように第１色彩の糸３１と、第２色彩の糸３２が所定の面積割合で表面に露出する。縁１６は布を折り返しミシンがけして作成されるので、縁１６は中央部の２倍の厚さになる。コースターサイズは縦×横が１１０ｍｍ×１１０ｍｍの略正方形、織布厚さは０．４〜０．５ｍｍであるが、縁部の厚さは約１．２ｍｍである。
使用している糸は６０番手の木綿糸で、織糸本数は縦糸４９５本×横糸３９６本である。
【００１９】＜吸水特性について＞
前記試作コースターについて、乾燥状態と水分を吸水させた状態での重量差から、コースターの吸水能力の評価を行った。試験結果は表１に示す通りで、７枚のサンプルを用い測定した結果はコースター１枚当たりの平均吸水重量は５．６ｇで標準偏差は０．１５ｇであった。
吸水能力５．６ｇは水の比重を１と見なせば、約５ｍｌの吸水能力に相当し、通常はガラスコップ表面に結露する水を吸収するに十分であると考えられる。
【表１】
2017158989.tif 000003
【００２０】＜摩擦係数について＞
底面直径６２ｍｍ、高さ１５５ｍｍ、重量２９４ｇのコップに水４４６ｇを入れ７４０ｇとした水入りコップを用い、本試作コースターの最大静止摩擦力の測定を行った。測定条件は次の通り。
テーブル表面材質：ガラス板、メラミン化粧板（２種類）
コースター条件：コースターなし、乾燥状態のコースター、水３ｇを吸水させた湿潤状                  態のコースター（３種類）
最大摩擦力の測定結果を表２に示す。
【表２】
2017158989.tif 000004
【００２１】  表２の測定結果から次が結論づけられる。
（１）ガラスコップはメラミン樹脂より、ガラスの方が滑り難い。
（２）コースターなしに比べ、コースターありの方が滑り難い。
（３）コースターは乾燥状態より湿潤状態の方が滑り難い。
（４）テーブル表面の材質により多少の差異はあるが、全体的にはガラスコップの下に乾      燥コースターを敷くことで最大静止摩擦力が約２倍になり、コースターを湿潤させ      ると最大静止摩擦力は約３倍になる。
以上より本発明のコースターはテーブル表面でのガラスコップが滑るのを十分防止できることが明らかである。
【００２２】  図３は、図１と同じ２種類の糸を用い図１と同じ三重県・伊勢志摩の別の風景画を織り込んだ布を用いて製作したコースターの表面（陽画面）である。この様に、同じ観光地の複数個所の風景画を織り込んだ布を用いて複数種類のコースターをセットとすることで、観光地みやげ等にすることができる。
なお、第３色彩の糸を使用したコースターの試作は行っていないが、例えば図１、２に示す図柄において、商標「座・匠」の文字に第３色彩の糸とすることは、容易である。本例示では商標「座・匠」が文字商標であるため、ミラー反転文字となり裏面での視認は困難であるが、左右対称の図形商標であれば、表裏に関係なく容易に視認できる。
【産業上の利用可能性】
【００２３】  今回試作した織布製コースターは、京都西陣地区に受け継がれている風通織り職人の伝統的織物技術により製作された。この風通織りの技術は、織り縦糸５，４００本×横糸４，３２０本を用いる織物で、織り目が緻密で風景などの具象画の表現に好適である。本発明の織布製コースターは、みやげ物や、様々なイベントでの記念品など広範な活用が見込める。また、近年衰退の著しい日本の伝統的織物技術である風通織り技術の活性化にも貢献できる発明と考える。
【符号の説明】
【００２４】１０  コースター
１１  模様（陽画）
１２  模様（陰画）
１３  第１色彩部
１４  第２色彩部
１５  中間色部
１６  縁
１７  商標
２０  コースター
２１  模様（陽画）
２６  縁
３１  第１色彩の糸
３２  第２色彩の糸
【図１】
2017158989.tif 000005
【図２】
2017158989.tif 000006
【図３】
2017158989.tif 000007
【図４】
2017158989.tif 000008